(57)【特許請求の範囲】
【請求項１】
ヘッドボックスから吊下支持されるカーテン生地を所定の昇降範囲で昇降するたくし上げカーテンにおいて、
前記昇降範囲内の所定高さ以下のみ遮光可能とした第一の生地を前記ヘッドボックスから昇降可能に吊下支持し、前記ヘッドボックスから少なくとも前記所定高さまでを遮光可能とした第二の生地をヘッドボックスから昇降可能に吊下支持し、
前記第一の生地は、前記ヘッドボックスの後部から吊下支持した後生地で構成するとともに、前記第二の生地は、前記ヘッドボックスの前部から吊下支持した前生地で構成し、
前記後生地は、前記前生地の後方に吊下支持される上部後生地と、該上部後生地の下方に吊下支持される下部後生地とから構成するとともに、前記上部後生地は採光可能とした生地で構成したことを特徴とするたくし上げカーテン。
【請求項２】
ヘッドボックスから吊下支持されるカーテン生地を所定の昇降範囲で昇降するたくし上げカーテンにおいて、
前記昇降範囲内の所定高さ以下のみ遮光可能とした第一の生地を前記ヘッドボックスから昇降可能に吊下支持し、前記ヘッドボックスから少なくとも前記所定高さまでを遮光可能とした第二の生地をヘッドボックスから昇降可能に吊下支持し、
前記第一の生地は、前記ヘッドボックスの後部から吊下支持した後生地で構成するとともに、前記第二の生地は、前記ヘッドボックスの前部から吊下支持した前生地で構成し、
前記後生地は、前記前生地の下縁近傍に吊下支持された後生地レールから吊下支持したことを特徴とするたくし上げカーテン。
【請求項３】
前記後生地を昇降する昇降コードを、前記前生地に設けた案内リングに挿通したことを特徴とする請求項２記載のたくし上げカーテン。
【請求項４】
前記後生地レールは、ヘッドボックスから吊りコードを介して吊下支持し、前記吊りコードは前記前生地に設けた案内リングに挿通したことを特徴とする請求項２または３記載のたくし上げカーテン。
【発明の詳細な説明】
【０００１】
【発明の属する技術分野】
この発明は、昇降装置によりカーテン生地を昇降することにより採光調節を行うたくし上げカーテンに関するものである。
【０００２】
【従来の技術】
たくし上げカーテンは、ヘッドボックスからカーテン生地が吊下支持され、そのカーテン生地の下端部には、ヘッドボックスから垂下される昇降コードが取着されている。
【０００３】
そして、例えばヘッドボックスの一側から垂下される操作コードを操作して、昇降コードを昇降することにより、カーテン生地を昇降可能としている。
上記のようなたくし上げカーテンでは、カーテン生地を下限まで下降させて、窓全面を遮光する状態と、カーテン生地を途中まで引き上げて窓の上部のみを遮光する状態と、カーテン生地をヘッドボックス近傍まで引き上げて、窓全面を開放する状態とを選択可能としている。
【０００４】
【発明が解決しようとする課題】
上記のようなたくし上げカーテンでは、窓の下部を遮光状態としながら、窓の上部から採光することはできない。従って、窓の下部を目隠し状態としながら、窓の上部から採光することができないという問題点がある。
【０００５】
この発明の目的は、窓の下部を遮光状態としながら、窓の上部から採光可能とするたくし上げカーテンを提供することにある。
【０００６】
【課題を解決するための手段】
請求項１では、ヘッドボックスから吊下支持されるカーテン生地を所定の昇降範囲で昇降するたくし上げカーテンにおいて、前記昇降範囲内の所定高さ以下のみ遮光可能とした第一の生地を前記ヘッドボックスから昇降可能に吊下支持し、前記ヘッドボックスから少なくとも前記所定高さまでを遮光可能とした第二の生地をヘッドボックスから昇降可能に吊下支持し、前記第一の生地は、前記ヘッドボックスの後部から吊下支持した後生地で構成するとともに、前記第二の生地は、前記ヘッドボックスの前部から吊下支持した前生地で構成し、前記後生地は、前記前生地の後方に吊下支持される上部後生地と、該上部後生地の下方に吊下支持される下部後生地とから構成するとともに、前記上部後生地は採光可能とした生地で構成した。
【０００７】
請求項２では、ヘッドボックスから吊下支持されるカーテン生地を所定の昇降範囲で昇降するたくし上げカーテンにおいて、前記昇降範囲内の所定高さ以下のみ遮光可能とした第一の生地を前記ヘッドボックスから昇降可能に吊下支持し、前記ヘッドボックスから少なくとも前記所定高さまでを遮光可能とした第二の生地をヘッドボックスから昇降可能に吊下支持し、前記第一の生地は、前記ヘッドボックスの後部から吊下支持した後生地で構成するとともに、前記第二の生地は、前記ヘッドボックスの前部から吊下支持した前生地で構成し、前記後生地は、前記前生地の下縁近傍に吊下支持された後生地レールから吊下支持した。
【０００８】
請求項３では、前記後生地を昇降する昇降コードを、前記前生地に設けた案内リングに挿通した。
【０００９】
請求項４では、前記後生地レールは、ヘッドボックスから吊りコードを介して吊下支持し、前記吊りコードは前記前生地に設けた案内リングに挿通した。
【００１０】
【発明の実施の形態】
（第一の実施の形態）
図１及び図２は、この発明を具体化したたくし上げカーテンの第一の実施の形態を示す。
【００１１】
ヘッドボックス１の前面から前生地２が吊下支持され、その前生地２の下端にはウェイトバー３が吊下支持されている。前記前生地２は、窓の上部のみを遮光可能とする高さで吊下支持される。
【００１２】
前記ウェイトバー３の両端部には、ヘッドボックス１から垂下される昇降コード４の下端が接続され、その昇降コード４はヘッドボックス１内をその一側に案内され、ストッパ装置５を経て同ヘッドボックス１の一側から外部へ導出され、コードイコライザ６を介して操作コード７に接続されている。
【００１３】
従って、操作コード７の操作により、ウェイトバー３を昇降可能であり、ストッパ装置５によりウェイトバー３を所望高さに吊下支持可能となっている。
前記ヘッドボックス１から吊りコード８を介して後生地レール９が吊下支持されている。前記吊りコード８は、前記昇降コード４の近傍において、その上端がヘッドボックス１に固定され、下端が後生地レール９に固定されている。
【００１４】
そして、後生地レール９は最下限に位置する前記ウェイトバー３の後方に吊下支持される。なお、前記吊りコード８及び昇降コード４は、前生地２の裏面に複数設けられる案内リング１３に挿通されている。
【００１５】
前記後生地レール９から後生地１０が吊下支持され、その後生地１０の下端にウェイトバー１１が吊下支持されている。ウェイトバー１１の両側部には、昇降コード１２の一端が取着され、その昇降コード１２は後生地１０の裏面に取着された複数の案内リング１４及び前記後生地レール９に挿通され、さらに前記案内リング１３に挿通されて、前記ヘッドボックス１内に案内される。
【００１６】
そして、昇降コード１２はヘッドボックス１内をその他側に向かって案内され、ストッパ装置１５を経てヘッドボックス１外へ案内され、コードイコライザ１６を介して操作コード１７に接続されている。
【００１７】
従って、操作コード１７の操作により、ウェイトバー１１を昇降可能であり、ストッパ装置１５によりウェイトバー１１を所望高さに吊下支持可能となっている。
【００１８】
前記ストッパ装置５，１５は、ウェイトバー３，１１を自在に昇降操作可能とする状態と、ウェイトバー３，１１の自重降下を阻止し得る状態とを交互に選択可能とする公知のストッパ装置である。
【００１９】
次に、上記のように構成されたたくし上げカーテンの動作を説明する。
図１及び図２に示すように、ウェイトバー３，１１を最下限まで下降させた状態では、前生地２及び後生地１０により窓の全面が遮光される。
【００２０】
この状態から操作コード７を操作して、ウェイトバー３を引き上げると、前生地２が上方へ畳み込まれる。すると、図３及び図４に示すように、後生地１０の上方が開放されるので、後生地１０で窓の下部を遮光し、かつ目隠し可能としながら、窓の上部から採光することができる。
【００２１】
また、図３及び図４に示す状態から、操作コード１７を操作して、ウェイトバー１１を引き上げると、後生地１０及び後生地レール９がウェイトバー１１によりヘッドボックス１近傍まで持ち上げられる。この状態では、窓全面が開放される。
【００２２】
また、図１及び図２に示す状態から、ウェイトバー１１をヘッドボックス１近傍まで持ち上げると、図５に示すように、昇降コード１２が案内リング１３に挿通されていることから、後生地レール９がウェイトバー１１により持ち上げられ、後生地レール９の上昇とともに前生地２が持ち上げられる。
【００２３】
従って、操作コード１７の操作により、前生地２及び後生地１０を一括して昇降可能である。
上記のようなたくし上げカーテンでは、次に示す作用効果を得ることができる。
（１）前生地２及び後生地１０を下限まで下降させると、窓全面を遮光状態とすることができる。
（２）前生地２を上限まで引上げ、後生地１０を下限まで下降させると、窓の上部から採光することができる。
（３）前生地２及び後生地１０を上限まで引上げると、窓全面から採光することができる。
（４）前生地２と後生地１０は、操作コード７，１７によりそれぞれ独立して昇降可能であるとともに、操作コード１７の操作により、一括して昇降可能である。
（５）前生地２と後生地１０とで窓面を全閉状態とするとき、前生地２と後生地１０とは重複しないので、必要最低限の生地で窓面を覆うことができる。従って、コストを低減することができる。
（６）後生地レール９は、上端がヘッドボックス１に固定される吊りコード８で吊下支持されるので、その組み立て作業を容易に行うことができる。
（７）吊りコード８は、前生地２に取着された案内リング１３に挿通されているので、後生地レール９がヘッドボックス１近傍まで押し上げられたとき、図５に示すように、各案内リング１３間の吊りコード８がそれぞれ弛んだ状態となる。
従って、後生地１０を上限まで畳み込んだとき、吊りコード８が大きく垂れ下がることはない。
（第二の実施の形態）
図６及び図７は、第二の実施の形態を示す。なお、前記第一の実施の形態と同一構成部分は、同一符号を付して詳細な説明を省略する。
【００２４】
ヘッドボックス１の前面から垂下される前生地２は、前記実施の形態と同様な構成であり、操作コード７の操作により昇降可能である。なお、前生地２を昇降する昇降コード４は前生地２の裏面に取着される案内リング２１に挿通される。
【００２５】
ヘッドボックス１の背面から上部後生地２２が垂下されている。この上部後生地２２は、光を透過可能とする生地で形成され、前生地２と同じ高さまで垂下される。
【００２６】
前記上部後生地２２の下端には、生地ジョイント２３が取着され、その生地ジョイント２３から下部後生地２４が吊下支持されている。下部後生地２４は、前生地２と同様に光を遮光可能とする生地で形成される。
【００２７】
前記下部後生地２４の下端にはウェイトバー１１が取着され、そのウェイトバー１１には昇降コード１２の一端が取着される。前記昇降コード１２は、下部後生地２４及び上部後生地２２の裏面に取着される案内リング２５に挿通されて、ヘッドボックス１内へ案内され、前記第一の実施の形態と同様に、ヘッドボックス１の他側から導出されて操作コード１７に接続されている。
【００２８】
上記のように構成されたたくし上げカーテンでは、図６及び図７に示すように、前生地２及び後生地２２，２４を下限まで下降させると、窓の全面が遮光される。
【００２９】
この状態から操作コード７を操作して、ウェイトバー３を引き上げると、前生地２が上方へ畳み込まれる。すると、図８に示すように、下部後生地２４で窓の下部を遮光し、かつ目隠し可能としながら、窓の上部から上部後生地２２を介して採光することができる。
【００３０】
また、図８に示す状態から、操作コード１７を操作して、ウェイトバー１１を引き上げると、図９に示すように、上部後生地２２及び下部後生地２４がウェイトバー１１によりヘッドボックス１近傍まで持ち上げられる。この状態では、窓全面が開放される。
【００３１】
上記のようなたくし上げカーテンでは、次に示す作用効果を得ることができる。
（１）前生地２及び後生地２２，２４を下限まで下降させると、窓全面を遮光状態とすることができる。
（２）前生地２を上限まで引上げ、後生地２２，２４を下限まで下降させると、窓の上部から採光することができる。
（３）前生地２及び後生地１０を上限まで引上げると、窓全面から採光することができる。
（４）前生地２と後生地２２，２４は、操作コード７，１７によりそれぞれ独立して昇降可能であるとともに、後生地２２，２４は操作コード１７の操作により、一括して昇降可能である。
（第三の実施の形態）
図１０〜図１２は、第三の実施の形態を示す。この実施の形態の前生地２及び後生地１０を吊下支持する構成は前記第一の実施の形態と同様である。
【００３２】
後生地レール９を吊下支持する吊りコード８には、多数のループ２６が等間隔に設けられ、そのループ２６に昇降コード１２が挿通されている。
このような構成により、図１２に示すように、後生地１０をヘッドボックス１近傍まで引き上げたとき、吊りコード８はループ２６により昇降コード１２に等間隔に支持されて、大きく垂れ下がることはない。
【００３３】
また、前記ループ２６を備えた吊りコード８を、第一の実施の形態の案内リング１３に挿通するようにしてもよい。
上記実施の形態は、次に示すように変更することもできる。
・昇降コードをヘッドボックス内で巻取りあるいは巻き戻すことにより、前生地及び後生地を昇降するようにしてもよい。
【００３４】
【発明の効果】
以上詳述したように、この発明は窓の下部を遮光状態としながら、窓の上部から採光可能とするたくし上げカーテンを提供することができる。
【図面の簡単な説明】
【図１】  第一の実施の形態のたくし上げカーテンを示す正面図である。
【図２】  第一の実施の形態のたくし上げカーテンを示す側面図である。
【図３】  第一の実施の形態のたくし上げカーテンの動作を示す説明図である。
【図４】  第一の実施の形態のたくし上げカーテンの動作を示す説明図である。
【図５】  第一の実施の形態のたくし上げカーテンの動作を示す説明図である。
【図６】  第二の実施の形態のたくし上げカーテンを示す正面図である。
【図７】  第二の実施の形態のたくし上げカーテンを示す側面図である。
【図８】  第二の実施の形態のたくし上げカーテンの動作を示す説明図である。
【図９】  第二の実施の形態のたくし上げカーテンの動作を示す説明図である。
【図１０】  第三の実施の形態のたくし上げカーテンを示す正面図である。
【図１１】  第三の実施の形態のたくし上げカーテンを示す側面図である。
【図１２】  第三の実施の形態のたくし上げカーテンの動作を示す説明図である。
【符号の説明】
１            ヘッドボックス
２            第二の生地（前生地）
１０          第一の生地（後生地）
２４          第一の生地（下部後生地）
【図１】
0004714388.tif 000002
【図２】
0004714388.tif 000003
【図３】
0004714388.tif 000004
【図４】
0004714388.tif 000005
【図５】
0004714388.tif 000006
【図６】
0004714388.tif 000007
【図７】
0004714388.tif 000008
【図８】
0004714388.tif 000009
【図９】
0004714388.tif 000010
【図１０】
0004714388.tif 000011
【図１１】
0004714388.tif 000012
【図１２】
0004714388.tif 000013